(57)【特許請求の範囲】
【請求項１】
座部又は脚部から立ち上がった支持部に対して肘掛け部が上下角度調節可能な椅子の肘掛け装置であって、前記支持部の上端後部に肘掛け部内に固定した傾動部材を水平な支軸にて上下傾動可能に連結するとともに、前記肘掛け部の前部下面に操作レバーを前後傾動可能に枢着してその操作部を露出させ、前記支軸より前部であって、前記支持部の前部に上下に複数の係合凹部と各係合凹部の前端を連通する遊動部とを有する調節孔を形成するとともに、前記傾動部材に前記調節孔に挿通した係止ピンを受け入れて前後に移動案内する横長孔を形成し、前記係止ピンを係合凹部に係合する方向に弾性付勢するとともに、前記操作レバーの遊端部と前記係止ピンをワイヤーで連結して該操作レバーの変位によって係止ピンが係合凹部から外れるように連動させてなることを特徴とする椅子の肘掛け装置。
【請求項２】
座部又は脚部から立ち上がった支持部に対して肘掛け部が上下角度調節可能な椅子の肘掛け装置であって、前記支持部の上端に肘掛け部内に固定した傾動部材を水平な支軸にて上下傾動可能に連結するとともに、前記肘掛け部の前部に操作レバーを上下傾動可能に枢着してその操作部を露出させ、前記支軸より前部であって、前記傾動部材に上下に複数の係合凹部と各係合凹部の後端を連通する遊動部とを有する調節孔を形成するとともに、前記支持部に前記調節孔に挿通した係止ピンを受け入れて前後に移動案内する横長孔を形成し、前記係止ピンを係合凹部に係合する方向に弾性付勢するとともに、前記傾動部材に対して前後移動可能に案内された可動部材を設け、該可動部材に形成した縦長孔に前記係止ピンを挿通するとともに、該可動部材の前端部下面に形成したカム部の後方下向きの傾斜面を前記操作レバーの遊端部上面の押圧部に当止して該操作レバーの変位によって係止ピンが係合凹部から外れるように連動させてなることを特徴とする椅子の肘掛け装置。
【発明の詳細な説明】
【０００１】
【発明の属する技術分野】
本発明は、椅子の肘掛け装置に係わり、更に詳しくは肘掛け部が上下角度調節可能な椅子の肘掛け装置に関する。
【０００２】
【従来の技術】
従来、椅子の座部又は脚部から立ち上がった支持部に対して肘掛け部が上下角度調節可能なものは既に提供されている。そして、肘掛け部の角度調節機構としては、支持部の上端に肘掛け部の中央部を傾動可能に枢着するとともに、支持部の前後一端部に複数の係合凹部を上下方向に所定間隔で形成し、該係合凹部に肘掛け部の前後一端部に設けた前後移動可能な係合突起を弾性的に嵌合して多段階に角度調節するものがある。
【０００３】
しかし、従来の肘掛け部の角度調節機構は、係合突起を係合凹部に対して係脱するための操作レバーと該係合突起を設けた部材とを直接的又は間接的にリンク連結しているため、構造が複雑になり、また組立てが難しいといった問題を有している。
【０００４】
【発明が解決しようとする課題】
本発明が前述の状況に鑑み、解決しようとするところは、肘掛け部の上下角度調節機構の構造を簡略化するとともに、簡単に組立てることが可能で、もってコスト低減化が図れる椅子の肘掛け装置を提供する点にある。
【０００５】
【課題を解決するための手段】
本発明は、前述の課題解決のために、座部又は脚部から立ち上がった支持部に対して肘掛け部が上下角度調節可能な椅子の肘掛け装置であって、前記支持部の上端後部に肘掛け部内に固定した傾動部材を水平な支軸にて上下傾動可能に連結するとともに、前記肘掛け部の前部下面に操作レバーを前後傾動可能に枢着してその操作部を露出させ、前記支軸より前部であって、前記支持部の前部に上下に複数の係合凹部と各係合凹部の前端を連通する遊動部とを有する調節孔を形成するとともに、前記傾動部材に前記調節孔に挿通した係止ピンを受け入れて前後に移動案内する横長孔を形成し、前記係止ピンを係合凹部に係合する方向に弾性付勢するとともに、前記操作レバーの遊端部と前記係止ピンをワイヤーで連結して該操作レバーの変位によって係止ピンが係合凹部から外れるように連動させてなる椅子の肘掛け装置を構成した。
【０００６】
また本発明は、座部又は脚部から立ち上がった支持部に対して肘掛け部が上下角度調節可能な椅子の肘掛け装置であって、前記支持部の上端に肘掛け部内に固定した傾動部材を水平な支軸にて上下傾動可能に連結するとともに、前記肘掛け部の前部に操作レバーを上下傾動可能に枢着してその操作部を露出させ、前記支軸より前部であって、前記傾動部材に上下に複数の係合凹部と各係合凹部の後端を連通する遊動部とを有する調節孔を形成するとともに、前記支持部に前記調節孔に挿通した係止ピンを受け入れて前後に移動案内する横長孔を形成し、前記係止ピンを係合凹部に係合する方向に弾性付勢するとともに、前記傾動部材に対して前後移動可能に案内された可動部材を設け、該可動部材に形成した縦長孔に前記係止ピンを挿通するとともに、該可動部材の前端部下面に形成したカム部の後方下向きの傾斜面を前記操作レバーの遊端部上面の押圧部に当止して該操作レバーの変位によって係止ピンが係合凹部から外れるように連動させてなる椅子の肘掛け装置を構成した。
【０００７】
【発明の実施の形態】
次に本発明の実施形態を添付図面に基づき更に詳細に説明する。図１は本発明に係る椅子を示し、図２〜図４は本発明の第１実施形態を示し、図５〜図７は本発明の第２実施形態を示し、図２及び図５は肘掛け部を略水平に設定した状態、図３及び図６は肘掛け部を前上がりに傾斜させて設定した状態、図４及び図７は要部の分解斜視図を示し、図中符号１は椅子の脚部、２は座部、３は背凭れ部、４は肘掛け装置、５は支持部、６は肘掛け部をそれぞれ示している。
【０００８】
本発明の実施形態に係る肘掛け装置４は、座部２又は脚部１から立ち上がった支持部５に対して肘掛け部６を高さ調節可能且つ上下角度調節可能に設けたものである。前記支持部５は、座部２に固定した支持アーム７の上部に、中空状の昇降体８を上下スライド可能に外嵌した構造を有する。そして、前記支持アーム７と昇降体８との間には、支持アーム７に対して昇降体８の高さを調節し且つその高さを維持するための高さ調節機構が設けられている。
【０００９】
先ず、本発明の第１実施形態の肘掛け装置４を図２〜図４に基づいて更に詳しく説明する。本発明の肘掛け装置４は、前記支持部５を構成する昇降体８の上端後部に肘掛け部６内に固定した傾動部材９を水平な支軸１０にて上下傾動可能に連結するとともに、前記肘掛け部６の前部に操作レバー１１を変位可能に取付けてその操作部１１Ａを露出させ、前記支持部５又は傾動部材９の一方に、上下に複数の係合凹部１２Ａ，…と各係合凹部１２Ａ，…を連通する遊動部１２Ｂとを有する調節孔１２を形成するとともに、他方に、前記調節孔１２に挿通した係止ピン１３を受け入れて前後に移動案内する横長孔１４を形成し、前記係止ピン１３を係合凹部１２Ａに係合する方向に弾性付勢するとともに、前記操作レバー１１の遊端部１１Ｂと前記係止ピン１３を該操作レバー１１の変位によって係止ピン１３が係合凹部１２Ａから外れるように連係手段１５にて連動させてなるものである。
【００１０】
更に詳しくは、前記操作レバー１１の上下中央部に突設した両アーム片１６，１６に側設した突軸１７，１７を、肘掛け部６の前部であって、内部下面に突設した軸受部１８，１８に前後傾動可能に枢着し、前記操作部１１Ａを下面に形成した角孔１９から下方へ露出させている。そして、前記支軸１０より前部であって、前記昇降体８の前部に各係合凹部１２Ａ，…の前端を遊動部１２Ｂで連通させた調節孔１２を形成するとともに、前記傾動部材９の両側板２０，２０に横長孔１４を形成し、前記連係手段１５として前記操作レバー１１の遊端部１１Ｂと前記係止ピン１３をワイヤー２１で連結している。前記ワイヤー２１は、可撓性のスリーブ２２に挿通されており、該スリーブ２２の両端に形成した係止縁２３，２３を前記軸受部１８，１８間に突設した受片２４と、前記傾動部材９の前端部に下設した受片２５に係合し、前記ワイヤー２１の一端に固定した突部２６を前記操作レバー１１の遊端部１１Ｂに嵌合係止するとともに、他端に固定したリング２７を前記係止ピン１３に外挿して連結させている。また、前記係止ピン１３は、両端部を傾動部材９の両側板２０，２０より突出させ、その突出端と側板２０の後部間に引張りコイルばね２８，２８を装着し、該係止ピン１３が前記調節孔１２の係合凹部１２Ａに係合する方向に弾性付勢している。尚、前記引張りコイルばね２８は傾動部材９の両側板２０，２０間に配設し、一端は前記支軸１０に係止しても良い。
【００１１】
本実施形態では、前記肘掛け部６は、合成樹脂製の上部カバー部材２９と下部カバー部材３０とを接合して内部を中空とし、上部カバー部材２９の下面には複数の補強リブ３１，…を設けるとともに、前後部に台座３２，…を突設し、該台座３２，…に補強板３３をネジ止めし、該補強板３３には前記傾動部材９が固着されている。尚、前記補強板３３は傾動部材９と一体とすることもでき、補強板３３を省略することも勿論可能である。前記下部カバー部材３０には、前記角孔１９と前記支持部５を構成する昇降体８を挿通するための開口３４を形成している。
【００１２】
そして、前記肘掛け部６の下面に突出した操作レバー１１の操作部１１Ａを後方へ押すと、前記ワイヤー２１が前方へ引っ張られて、前記係止ピン１３が調節孔１２の係合凹部１２Ａを前方へ移動する。この係止ピン１３の前方移動は前記横長孔１４，１４によって案内され、該係止ピン１３が遊動部１２Ｂにくると、前記肘掛け部６は支軸１０を中心として前部が上下に角度調節可能となり、所定の角度に設定した後に、前記操作部１１Ａから指を離せば、前記引張りコイルばね２８の弾性付勢力によって係止ピン１３が所定の係合凹部１２Ａに再び係合し、肘掛け部６の角度が維持されるのである。
【００１３】
ここで、図２は肘掛け部６を略水平状態となした状態で、通常は肘掛け部６の前部が最も下降した状態であり、図３は肘掛け部６の前部を上昇させて傾斜した状態である。肘掛け部６の角度は、着座者の体格に応じて座部２の高さと肘掛け部６の高さを調節した後、該肘掛け部６の上面が机の前縁に向くように調節することが望ましい。肘掛け部６の角度を前述のように設定した場合、該肘掛け部６の上面に肘を載せ、手首を机天板に載せた状態で、ワープロやパソコンの入力手段の一つであるマウスを操作することができるので、その操作が楽になるのである。また、キーボードを操作する場合も同様である。
【００１４】
次に、本発明の肘掛け装置４の第２実施形態を図５〜図７に基づいて更に詳しく説明する。本実施形態の肘掛け装置４は、第１実施形態と基本的には共通する構造であり、同一構成には同一符号を付してその説明は省略する。ここでは、第１実施形態と異なる構成についてのみ説明する。前記肘掛け装置４は、前記操作レバー１１の前端に突設した両アーム片１６，１６に側設した突軸１７，１７を、肘掛け部６の前部であって、内部下面に突設した軸受部１８，１８に上下傾動可能に枢着し、前記支軸１０より前部であって、前記傾動部材９の両側板２０，２０に各係合凹部１２Ａ，…の後端を遊動部１２Ｂで連通させた調節孔１２を形成するとともに、前記昇降体８の前部に横長孔１４を形成し、前記連係手段１５として前記傾動部材９の両側板２０，２０間に、該傾動部材９に対して前後移動可能に案内された可動部材３５を設け、該可動部材３５の両側板３６，３６に形成した縦長孔３７に前記係止ピン１３を挿通するとともに、該可動部材３５の前端部下面に形成したカム部３８の後方下向きの傾斜面３９を前記操作レバー１１の遊端部１１Ｂ上面の押圧部４０に当止して連係してなるものである。
【００１５】
更に詳しくは、前記傾動部材９に対する可動部材３５の前後案内構造は、前記傾動部材９の両側板２０，２０間に可動部材３５の両側板３６，３６を摺動可能に配し、該可動部材３５の上面は傾動部材９の上面板４１の下面に摺接し、前記側板３６，３６の後部に形成した横長孔４２，４２を前記支軸１０に外挿し、前記カム部３８の傾斜面３９は前記操作レバー１１の押圧部４０に載置している。また、前記可動部材３５の前端と補強板３３の前端部間に引張りコイルばね２８を係止し、前記可動部材３５を前方へ弾性付勢し、もって縦長孔３７に係合した係止ピン１３を調節孔１２の係合凹部１２Ａに係合するように前方へ弾性付勢している。また、前記可動部材３５の両側板３６，３６は、前記昇降体８の上端部を挟むように配設されている。尚、前記引張りコイルばね２８の取付位置は任意である。
【００１６】
そして、前記操作レバー１１の操作部１１Ａを押し込むことによって、遊端部１１Ｂの押圧部４０が前記カム部３８の傾斜面３９を押圧して互いに摺接しながら可動部材３５が引張りコイルばね２８の弾性付勢力に抗して後方へ移動し、それに伴って前記縦長孔３７に係合した係止ピン１３が後方へ移動して係合凹部１２Ａから外れて遊動部１２Ｂに至ると、前記肘掛け部６の前部は支軸１０を中心に上下に回動可能となる。そして、肘掛け部６を所定の角度に設定した後、前記操作部１１Ａから指を離せば、前記可動部材３５は引張りコイルばね２８の弾性付勢力によって前方へ移動し、もって係止ピン１３が対応する係合凹部１２Ａに係合してその角度を維持するのである。
【００１７】
【発明の効果】
以上にしてなる本発明の椅子の肘掛け装置は、肘掛け部の上下角度調節機構の組立てが簡単であり、大幅な製造コスト低減化が図れるとともに、肘掛け部の上下角度調節を簡単に行うことができ、例えば、机天板に載置したワープロやパソコンのマウスやキーボードを操作する場合、肘掛け部の手口の高さを机天板と略同じ高さに設定して肘掛け部の前端上面を机天板の手前縁に連続させて手首部分の安楽な支持状態を実現した場合でも、肘掛け部に角度をつけることによって、肩から肘までの最適距離を確保できるのである。
【図面の簡単な説明】
【図１】本発明の肘掛け装置を適用した椅子の側面図である。
【図２】本発明の第１実施形態の肘掛け装置であり、肘掛け部が略水平状態の場合の要部の拡大縦断面図である。
【図３】同じく肘掛け部が傾斜状態の場合の要部の拡大縦断面図である。
【図４】同じく分解斜視図である。
【図５】本発明の第２実施形態の肘掛け装置であり、肘掛け部が略水平状態の場合の要部の拡大縦断面図である。
【図６】同じく肘掛け部が傾斜状態の場合の要部の拡大縦断面図である。
【図７】同じく分解斜視図である。
【符号の説明】
１  脚部                  ２  座部
３  背凭れ部              ４  肘掛け装置
５  支持部                ６  肘掛け部
７  支持アーム            ８  昇降体
９  傾動部材              １０  支軸
１１  操作レバー          １１Ａ  操作部
１１Ｂ  遊端部            １２  調節孔
１２Ａ  係合凹部          １２Ｂ  遊動部
１３  係止ピン            １４  横長孔
１５  連係手段            １６  アーム片
１７  突軸                １８  軸受部
１９  角孔                ２０  側板
２１  ワイヤー            ２２  スリーブ
２３  係止縁              ２４  受片
２５  受片                ２６  突部
２７  リング              ２８  引張りコイルばね
２９  上部カバー部材      ３０  下部カバー部材
３１  補強リブ            ３２  台座
３３  補強板              ３４  開口
３５  可動部材            ３６  側板
３７  縦長孔              ３８  カム部
３９  傾斜面              ４０  押圧部
４１  上面板              ４２  横長孔
【図１】
0003675142.tif 000002
【図２】
0003675142.tif 000003
【図３】
0003675142.tif 000004
【図４】
0003675142.tif 000005
【図５】
0003675142.tif 000006
【図６】
0003675142.tif 000007
【図７】
0003675142.tif 000008